【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
処理装置のために背景及び前景を有するモーションデスクトップをレンダリングする方法であって、
モーションデスクトップが、遮られている（occluded）か否を判断するステップと、
モーションデスクトップが遮られていないと判断された場合にのみ、動画に基づくコンテンツを共有メモリに対して（onto）レンダリングするステップ（２０６、３０２、２０８、３０４、２０４、３０６）と、
前記前景のコンテンツを前景情報からレンダリングするステップ（４０４）と、
前記背景の少なくとも一部分としての前記共有メモリからのレンダリングされたコンテンツと、前記背景の上（top）に位置づけられている前記前景のレンダリングされたコンテンツとを含むシーンを構成するステップ（４０８、５１２、６１０、７１８）と、
前記モーションデスクトップとして前記シーンを提示するステップ（４１０、５１４、６１０、７２０）と、
前記処理装置の状態を判断するステップと、
頻度であって、少なくとも部分的に、前記判断された前記処理装置の状態に基づいて、当該頻度において前記動画に基づく前記コンテンツがレンダリングされる頻度を調整するステップと、
を備えることを特徴とする方法。
【請求項２】
請求項１に記載の方法において、前記動画に基づくコンテンツを共有メモリに対してレンダリングするステップの動作と、前記シーンを構成するステップの動作とは、別のプロセスにて実行されることを特徴とする方法。
【請求項３】
請求項１に記載の方法において、
第２の動画に基づくコンテンツを第２の共有メモリに対してレンダリングするステップをさらに備え、
前記シーンを構成するステップは、前記第２の共有メモリからのレンダリングされたコンテンツを含む前記シーンを、前記背景の少なくとも別の部分として構成するステップをさらに備えることを特徴とする方法。
【請求項４】
請求項１に記載の方法において、
前記処理装置の前記判断された状態に少なくとも部分的に基づいて前記モーションデスクトップの前記背景の提示品質を低減するステップをさらに備えることを特徴とする方法。
【請求項５】
前記頻度において、動画に基づくコンテンツがレンダリングされる、前記頻度を調整するステップが、
制御モードにおいて、前記動画に基づいて前記コンテンツのレンダリングを実行するステップ、を更に含む、
請求項１に記載の方法。
【請求項６】
処理装置の少なくとも一つのプロセッサによる実行のために記録された命令を有する有形的表現のコンピュータ可読媒体であって、当該命令が、実行によって、当該少なくとも１つのプロセッサが、以下のステップ、即ち、
モーションデスクトップの背景の少なくとも一部分のコンテンツを共有メモリに対してレンダリングするステップ（２０６、３０２、２０８、３０４、２０４、３０６）と、
前記モーションデスクトップの前景のコンテンツを、前景情報に基づいてレンダリングするステップであって、背景の少なくとも一部分のコンテンツをレンダリングすることが、前記前景のコンテンツのレンダリングとは別個のプロセスにおいて前記少なくとも１つのプロセッサによって実行され、
前記前景のレンダリングされたコンテンツ及び前記共有メモリからの前記背景の少なくとも一部分のレンダリングされたコンテンツに基づいて、シーンを構成するステップ（４０８、５１２、６１０、７１８）と、
前記シーンを前記モーションデスクトップとしてディスプレイの上に提示するステップ（４１０、５１４、６１０、７２０）と、
前記処理装置の状態を判断するステップと、
頻度であって、少なくとも部分的に、前記判断された前記処理装置の状態に基づいて、前記背景の少なくとも一部の前記コンテンツがレンダリングされる頻度を調整するステップと、
モーションデスクトップが、遮られているか否を判断するステップと、
前記モーションデスクトップが遮られていると判断される際に、前記モーションデスクトップの背景の少なくとも一部のコンテンツのレンダリングを停止するステップと、
を含む方法を実行することを、惹起させる
有形的表現のコンピュータ可読媒体。
【請求項７】
請求項６に記載の有形的表現のコンピュータ可読媒体であって、
モーションデスクトップの前景のコンテンツをレンダリングする前記ステップは、
オンデマンドベースで前記前景のコンテンツをレンダリングするステップを含み、
モーションデスクトップの背景の少なくとも一部分のコンテンツをレンダリングする前記ステップは、ポーリングベースで前記背景の少なくとも一部分のコンテンツをレンダリングするステップを含む、
ことを特徴とする有形的表現のコンピュータ可読媒体。
【請求項８】
請求項６に記載の有形的表現のコンピュータ可読媒体であって、
前記頻度を調整するステップが、
少なくとも１つのプロセッサを含む処理装置が、遠隔デスクトップ状態、バッテーリ作動状態、又は、低電力状態、を含む状態にある場合に、更に実行される、
有形的表現のコンピュータ可読媒体。
【請求項９】
請求項６に記載の有形的表現のコンピュータ可読媒体であって、
第２の動画に基づいて前記モーションデスクトップの前記背景の少なくとも第２の部分のコンテンツを第２の共有メモリに対してレンダリングするステップをさらに備え、
シーンを構成する前記ステップは、前記第２の共有メモリからの前記モーションデスクトップの背景の前記少なくとも第２の部分のレンダリングされたコンテンツに基づいて前記シーンを構成するステップをさらに備える、
ことを特徴とする有形的表現のコンピュータ可読媒体。
【請求項１０】
請求項６に記載の有形的表現のコンピュータ可読媒体であって、
前記頻度において、背景の少なくとも一部のコンテンツがレンダリングされる、前記頻度を調整するステップが、制御モードにおいて実行される、
有形的表現のコンピュータ可読媒体。
【請求項１１】
少なくとも一つのプロセッサ（１２０）と、
バス（１１０）と、
メモリ（１３０）とを備える処理装置であって、
前記バスは、前記メモリを前記少なくとも一つのプロセッサと接続して、前記メモリと前記少なくとも一つのプロセッサとの間で通信できるようにし、
前記メモリは、
モーションデスクトップの動いている背景の少なくとも一部分のコンテンツを共有メモリに対してレンダリングする命令（２０６、３０２、２０８、３０４、２０４、３０６）と、
前記モーションデスクトップの前景のコンテンツを前景情報に基づいてレンダリングする命令であって、移動する背景の少なくとも一部のコンテンツをレンダリングするための命令が、当該前景のコンテンツをレンダリングするための命令とは別個のプロセスで実行されるものであるものと、
前記前景のレンダリングされたコンテンツ及び前記共有メモリからの前記背景の少なくとも一部分のレンダリングされたコンテンツに基づいてシーンを構成する命令（４０８、５１２、６１０、７１８）と、
前記シーンを前記モーションデスクトップとして提示する命令（４１０、５１４、６１０、７２０）と、
処理装置の状態を判断する命令と、
頻度であって、少なくとも部分的に、前記判断された前記処理装置の状態に基づいて、
移動する背景の少なくとも一部の前記コンテンツがレンダリングされる頻度を調整するための命令と、
前記モーションデスクトップが、遮られているか否かを判断するための命令と、
前記モーションデスクトップが、遮られていると判断される場合に、前記モーションデスクトップの背景の少なくとも一部のコンテンツのレンダリングを停止するための命令と、
を備えることを特徴とする処理装置。
【請求項１２】
請求項１１に記載の処理装置であって、
頻度であって、当該頻度において、前記動いている背景の少なくとも一部のコンテンツがレンダリングされる、当該頻度を調整するための命令が、
前記処理装置がバッテリー動作の状態、低電力動作の状態、又は遠隔デスクトップ動作の状態で動作しているときに、前記頻度であって、前記動いている背景の少なくとも一部のコンテンツがレンダリングされる頻度を低減する命令、
を更に含む、処理装置。
【請求項１３】
請求項１１に記載の処理装置において、
前記メモリは、前記モーションデスクトップの前記動いている背景の少なくとも第２の部分のコンテンツを第２の共有メモリに対してレンダリングする命令をさらに備え、
前記前景のレンダリングされたコンテンツ及び前記背景の少なくとも一部分のレンダリングされたコンテンツに基づいてシーンを構成する前記命令は、前記第２の共有メモリからの前記動いている背景の前記少なくとも第２の部分のレンダリングされたコンテンツに基づいて前記シーンを構成する命令をさらに備える、
ことを特徴とする処理装置。
【請求項１４】
請求項１１に記載の処理装置において、前記メモリは、前記シーンを前記モーションデスクトップとして提示する場合に音声を含む命令をさらに備えることを特徴とする処理装置。
【請求項１５】
請求項１１に記載の処理装置において、
頻度であって、当該頻度において、前記動いている背景の少なくとも一部のコンテンツがレンダリングされる頻度を調整するための命令が、制御モードで頻度を調整するための命令を更に含む、
処理装置。